(57)【要約】【課題】化粧板を支柱前面に取付ける際、化粧板を下にしても化粧板が下支柱部から落ちて外れずに、組み立て作業性を向上する扇風機を提供することを目的とする。【解決手段】契合引っ掛かり手段１７により、支柱５、すなわち下支柱部９の前面と化粧板１１を契合させての契合と位置決めができ、位置決め後の化粧板１１と下支柱部９とのネジボス２０による固定となるので、組み立て作業性を向上することとなる。また、化粧板１１の斜面爪２１と下支柱部９に備えた斜面爪２１が嵌ると上方向へ抜けないことにより、支柱５を逆にしての化粧板１１の下支柱部９へのネジ４９固定ができる。これにより、化粧板の支柱前面への取付けの組み立て作業が容易となり、組み立て作業性が向上することとなる。【選択図】図７
2014181604.tif 000002
【特許請求の範囲】
【請求項１】
送風する羽根と、前記羽根を駆動するモータと、前記羽根と前記モータを支持する中空形状の支柱と、前記支柱を支持し前記支柱と着脱自在に固定される基台とを備え、前記支柱の下方は上方から下方に向かって前記支柱の表面が前面側に伸びた斜面を備え、前記斜面の先は水平となり前記支柱は前記基台に嵌合し、前記支柱の前面の表面に化粧板を装着し、前記化粧板は前記化粧板を装着する前記支柱の表面と相似形をなし、前記化粧板の前記支柱の前面の表面への装着時に前記支柱の前面と前記化粧板の裏面とが契合し引っ掛かり前面方向へ外せない契合引っ掛かり手段を備え、前記化粧板の水平の裏面に鉛直下方へ伸びるネジボスを備え、前記ネジボスにより前記化粧板と前記支柱を固定することを特徴とする扇風機。
【請求項２】
化粧板の斜面の裏面から鉛直下方へ伸びる斜面爪を有し、前記支柱には、前記斜面爪が嵌ると上方向へ抜けないことを特徴とする請求項１に記載の扇風機。
【請求項３】
化粧板の斜面は曲面であることを特徴とする請求項２に記載の扇風機。
【請求項４】
斜面爪は、曲面の中央より曲面の開始寄りに位置することを特徴とする請求項３に記載の扇風機。
【発明の詳細な説明】
【技術分野】
【０００１】
本発明は、支柱前面に化粧板を装着する扇風機に関するものである。
【背景技術】
【０００２】
従来、この種の扇風機は、支柱の前面板を背方に凹窪して凹所を形成し、この凹所に外ケース、電球、レンズ部を形成した化粧ケース等を配設し、電球をレンズ部背方に臨ませて停電灯が形成されている。
【０００３】
その際、化粧ケースは、背方に突出して螺孔を形成する螺孔筒を形成して、外ケースの背方より螺子を螺孔筒に螺合することで、化粧ケースと外ケースとが一体結合されたものが知られている（例えば、特許文献１参照）。
【先行技術文献】
【特許文献】
【０００４】
【特許文献１】特公昭６４−００４０８０号公報
【発明の概要】
【発明が解決しようとする課題】
【０００５】
このような従来の扇風機においては、化粧ケースは、背方に突出して螺孔を形成する螺孔筒を形成して、外ケースの背方より螺子を螺孔筒に螺合する構成となっていたので、外ケースの背方より、螺孔筒と螺子を挿入する外ケースの穴との位置合わせをした後、螺合する必要があり、組み立て作業性に劣るという課題を有していた。
【０００６】
そこで本発明は、上記従来の課題を解決するものであり、化粧板を支柱前面に取付ける際、組み立て作業性を向上する扇風機を提供することを目的とする。
【課題を解決するための手段】
【０００７】
そして、この目的を達成するために、本発明は、送風する羽根と、前記羽根を駆動するモータと、前記羽根と前記モータを支持する中空形状の支柱と、前記支柱を支持し前記支柱と着脱自在に固定される基台とを備え、前記支柱の下方は上方から下方に向かって前記支柱の表面が前面側に伸びた斜面を備え、前記斜面の先は水平となり前記支柱は前記基台に嵌合し、前記支柱の前面の表面に化粧板を装着し、前記化粧板は前記化粧板を装着する前記支柱の表面と相似形をなし、前記化粧板の前記支柱の前面の表面への装着時に前記支柱の前面と前記化粧板の裏面とが契合し引っ掛かり前面方向へ外せない契合引っ掛かり手段を備え、前記化粧板の水平の裏面に鉛直下方へ伸びるネジボスを備え、前記ネジボスにより前記化粧板と前記支柱を固定するとしたものである。
【０００８】
これにより、化粧板を支柱前面に取付ける際、組み立て作業性を向上する扇風機の提供を達成するものである。
【発明の効果】
【０００９】
本発明によれば、化粧板の支柱の前面の表面への装着時に前記支柱の前面と前記化粧板の裏面とが契合し引っ掛かり前面方向へ外せない契合引っ掛かり手段を備え、前記化粧板の水平の裏面に鉛直下方へ伸びるネジボスを備え、前記ネジボスにより前記化粧板と前記支柱を固定するという構成にしたことにより、契合引っ掛かり手段で支柱の前面と化粧板を契合させての契合と位置決めができ、位置決め後のネジボスによる固定となるので、化粧板の支柱前面への取付けの組み立て作業が容易となり、組み立て作業性を向上するという効果を得ることができる。
【図面の簡単な説明】
【００１０】
【図１】本発明の実施の形態１の扇風機の全体の外形を示す外形斜視図
【図２】同中空支柱内部を示す側断面図
【図３】同モータ周辺の内部を示す側断面図
【図４】同表示ケースを中空支柱部内に固定した状態を示す側断面図
【図５】同表示ケースに格納される基板と発光体を示す分解斜視図
【図６】同表示ケースが中空支柱に収納される様子を下方から示す分解斜視図
【図７】化粧板が支柱に装着される様子を示す分解斜視図
【図８】化粧パネルと支柱が嵌る様子を示す分解側断面図
【図９】化粧パネルの下方の固定方法を拡大して示す外形側面図
【発明を実施するための形態】
【００１１】
本発明の請求項１記載の扇風機は、送風する羽根と、前記羽根を駆動するモータと、前記羽根と前記モータを支持する中空形状の支柱と、前記支柱を支持し前記支柱と着脱自在に固定される基台とを備え、前記支柱の下方は上方から下方に向かって前記支柱の表面が前面側に伸びた斜面を備え、前記斜面の先は水平となり前記支柱は前記基台に嵌合し、前記支柱の前面の表面に化粧板を装着し、前記化粧板は前記化粧板を装着する前記支柱の表面と相似形をなし、前記化粧板の前記支柱の前面の表面への装着時に前記支柱の前面と前記化粧板の裏面とが契合し引っ掛かり前面方向へ外せない契合引っ掛かり手段を備え、前記化粧板の水平の裏面に鉛直下方へ伸びるネジボスを備え、前記ネジボスにより前記化粧板と前記支柱を固定するという構成を有する。
【００１２】
これにより、契合引っ掛かり手段で支柱の前面と化粧板を契合させての契合と位置決めができ、位置決め後のネジボスによる固定となるので、化粧板の支柱前面への取付けの組み立て作業が容易となり、組み立て作業性を向上するという効果を奏する。
【００１３】
また、化粧板の斜面の裏面から鉛直下方へ伸びる斜面爪を有し、前記支柱には、前記斜面爪が嵌ると上方向へ抜けないという構成にしてもよい。
【００１４】
これにより、支柱を逆にして裏面側からのネジボス固定時に、支柱に契合した化粧板が斜面爪の契合により重力落下で抜けず、化粧板の支柱前面への取付けの組み立て作業が容易となるという効果を奏する。
【００１５】
また、化粧板の斜面は曲面であるという構成にしてもよい。これにより、化粧板が曲面を有し、化粧板の強度が向上するという効果を奏する。
【００１６】
また、斜面爪は、曲面の中央より曲面の開始寄りに位置するという構成にしてもよい。これにより、化粧板の上方からの支柱前面への取付けが容易となり、組み立て作業性を向上するという効果を奏する。
【００１７】
以下、本発明の実施の形態について図面を参照しながら説明する。
【００１８】
（実施の形態１）
図１乃至図４に示すように、扇風機１は、送風する羽根２とその羽根を駆動軸３を介し駆動するモータ４を備え、支柱５の上端で、羽根２とモータ４を支えている。
【００１９】
支柱５は中空筒状であり、中空筒状の上支柱６と中空筒状の下支柱７で構成され、下支柱７は上支柱６を上下動可能に支持し、上支柱６の上下動により羽根２とモータ４が上下動し、扇風機１の送風方向が上下動する。
【００２０】
図示はしていないが、首振り用のＤＣモータと回転運動を直線運動に変換する歯車機構等により、ＤＣモータを正回転、逆回転させて、左右方向、上下方向に送風方向を周期的に首振りさせても良い。
【００２１】
支柱５を支持し、すなわち下支柱７を支持し下支柱７と着脱自在に固定される基台８で扇風機１を支えている。基台８は扇風機１が倒れない程度の重さがあり、例えば、３〜６ｋｇ程度である。
【００２２】
下支柱７は略垂直な下支柱部９の下端で直角方向に中空状の足１０を備えている。下支柱部９は表面に運転状態を表示する化粧板１１が装着されて構成されている。中空状の下支柱部９内に運転状態を表示するＬＥＤランプなどの発光体１２と基板１３と、発光体１２と基板１３を格納する表示ケース１４が、下支柱部９に、底開口１５が設けられ、表示ケース１４は、開けられた底開口１５から挿入、固定される。
【００２３】
運転オン、風量の強、中、弱、タイマ時間等の運転状態を表示する化粧板１１の運転状態表示と表示ケース１４の運転状態表示とが１対１で対応している。
【００２４】
足１０の底の裏面は円筒状のネジが切られ、基台８を挟んで、基台８の裏面からナット２８で固定され、支柱５と基台８は着脱自在に固定されている。
【００２５】
基台８、下支柱部９、足１０の材質としては、例えば、ＡＢＳ、ＰＰなどの合成樹脂などがある。基台８内部に鉄、樹脂などの重量物の重しが入って、扇風機１の全体を倒れないように支えている。
【００２６】
支柱５の下方、すなわち下支柱部９の下方は上方から下方に向かって下支柱部９の表面が前面側に伸びた斜面１６を備え、斜面１６の先は水平となり足１０を構成する。
【００２７】
支柱５、すなわち下支柱部９の前面の表面と足１０の表面に装着される化粧板１１は化粧板１１を装着する支柱５、すなわち下支柱部９の前面の表面と足１０の表面と相似形をなし、上から密着、装着される。
【００２８】
化粧板１１の支柱５の前面の表面への装着時に、支柱５の前面と化粧板１１の裏面とが契合し引っ掛かり、前面方向へ外せない契合引っ掛かり手段１７を備えている。契合引っ掛かり手段１７としては、契合して引っ掛かり前面方向へ外せなければ良い。
【００２９】
契合引っ掛かり手段１７は、例えば、化粧板１１の垂直な裏面から水平方向に突き出て先が下向きの複数の孔１８を備え、相対する支柱５の表面には、爪１９が設けられている。
【００３０】
斜め上方向から、化粧板１１を支柱５、すなわち下支柱部９に装着すると、孔１８が支柱５、すなわち下支柱部９の爪１９に入り、化粧板１１と支柱５とが固定され、前面方向、すなわち水平方向に化粧板１１を外そうとしても孔１８が支柱５、すなわち下支柱部９の爪１９に入って引っ掛かり外せない状態となる。
【００３１】
化粧板１１の水平の裏面２９にから鉛直下方へ伸びるネジボス２０を備え、ネジボス２０により化粧板１１と支柱５、すなわち下支柱部９を固定する。
【００３２】
契合引っ掛かり手段１７で支柱５、すなわち下支柱部９の前面と化粧板１１を契合させての契合と位置決めができ、位置決め後のネジボス２０による固定となるので、組み立て作業性を向上することとなる。
【００３３】
また、化粧板１１の斜面１６の裏面から鉛直下方へ伸びる斜面爪２１を有している。
【００３４】
斜面爪２１は、例えば、材質がＡＢＳ、ＰＰ等の樹脂であり、例えば、斜面１６の裏面から鉛直下方へ伸びる嵌り板２２の先端に嵌り板２２と直角に折れ曲がった直角板２３を備えている。直角板２３は、扇風機１における背面側へ突出している。
【００３５】
斜面爪２１が嵌ると上方向へ抜けないのは、例えば、上に密着装着される化粧板１１の斜面爪２１が当たる下支柱部９を穿って、孔２４を開けている。
【００３６】
化粧板１１を下支柱部９の上方から装着すると、孔１８が下支柱部９の爪１９に入り、かつ、化粧板１１の斜面１６の裏面の斜面爪２１が下支柱部９の孔２４に挿入されることで、支柱５、すなわち下支柱部９は、斜面爪２１が嵌ると上方向へ抜けない。
【００３７】
これにより、化粧板１１の下支柱部９への固定が、下支柱部９を逆さにしても、あるいは横にしても、化粧板１１が下支柱部９から落ちて外れることなく、化粧板１１を下支柱部９に確実にネジ固定でき、組み立て作業の自由度が上がり、化粧板の支柱前面への取付けの組み立て作業が容易となり、組み立て作業性が向上することとなる。また、固定部分であるネジボス２０が見えないので、デザイン性が向上する。
【００３８】
化粧板１１の斜面１６は曲面２５であり、化粧板１１の斜面１６を曲面２５にすると、化粧板１１の強度と意匠性の点で、曲面２５の方がより良くなる。
【００３９】
斜面爪２１は、曲面２５の中央２６より曲面２５の開始２７寄りに位置しており、化粧板１１の上方からの支柱５、すなわち下支柱部９の前面への取付けが容易となり、組み立て作業性を向上することとなる。化粧板１１の曲面２５は、斜め下方向へ凸形状であるので、化粧板１１と下支柱部９の前面との隙間を抑制できる。
【産業上の利用可能性】
【００４０】
本発明にかかる扇風機は、化粧板の支柱への取り付け組み立て作業性を向上するものであるので、化粧板の装着組み立て作業性を向上する空調機等として有用である。
【符号の説明】
【００４１】
１  扇風機
２  羽根
３  駆動軸
４  モータ
５  支柱
６  上支柱
７  下支柱
８  基台
９  下支柱部
１０  足
１１  化粧板
１２  発光体
１３  基板
１４  表示ケース
１５  底開口
１６  斜面
１７  契合引っ掛かり手段
１８  孔
１９  爪
２０  ネジボス
２１  斜面爪
２２  嵌り板
２３  直角板
２４  孔
２５  曲面
２６  中央
２７  開始
２８  ナット
２９  水平の裏面
【図１】
2014181604.tif 000003
【図２】
2014181604.tif 000004
【図３】
2014181604.tif 000005
【図４】
2014181604.tif 000006
【図５】
2014181604.tif 000007
【図６】
2014181604.tif 000008
【図７】
2014181604.tif 000009
【図８】
2014181604.tif 000010
【図９】
2014181604.tif 000011